(57)【要約】【課題】部品点数を抑えつつ外部に臭い物質を排出することを抑制できる画像形成装置を提供する。【解決手段】画像形成装置１は、トナー像形成部３０と、トナー像定着部３５と、誘導部８０とを備える。トナー像形成部３０は、記録媒体Ｐにトナー像を形成する。トナー像定着部３５は、記録媒体Ｐに形成されたトナー像を、熱によって記録媒体Ｐに定着させる。誘導部８０は、トナー像が定着した記録媒体Ｐに、トナー像形成部３０で生じたオゾンを誘導する。トナー像形成部３０は、像担持体５０と、像担持体５０を帯電する帯電部５１とを備える。【選択図】図１
2019204044.tif 000002
【特許請求の範囲】
【請求項１】
記録媒体にトナー像を形成するトナー像形成部と、
前記記録媒体に形成された前記トナー像を、熱によって前記記録媒体に定着させるトナー像定着部と、
前記トナー像が定着した前記記録媒体に、前記トナー像形成部で生じたオゾンを誘導する誘導部と
を備え、
前記トナー像形成部は、
像担持体と、
前記像担持体を帯電する帯電部と
を備える、画像形成装置。
【請求項２】
前記誘導部は、
前記トナー像形成部から前記トナー像定着部まで延びる配管と、
前記オゾンを前記配管内に吸引して、前記オゾンを前記トナー像が定着した前記記録媒体に向けて排出するファンと
を備える、請求項１に記載の画像形成装置。
【請求項３】
前記記録媒体の種類と印字率との少なくとも一方を記憶する記憶部と、
前記記録媒体の種類と印字率との少なくとも一方に基づいて、前記トナー像定着部で生じる臭い物質の量を予測する予測部と、
前記臭い物質の量に基づいて、前記ファンの回転速度を制御するファン制御部と
をさらに備える、請求項２に記載の画像形成装置。
【請求項４】
前記トナー像が定着された前記記録媒体を反転して、前記記録媒体を前記トナー像形成部に搬送する反転搬送部をさらに備える、請求項１から請求項３の何れか１項に記載の画像形成装置。
【請求項５】
前記トナー像形成部は、複数の像担持体と、前記複数の像担持体に対応して設けられた複数の帯電部とを備え、
前記誘導部は、前記複数の帯電部に対応して設けられた複数のファンを備え、
前記画像形成装置は、前記複数のファンの各々の回転速度を制御するファン制御部をさらに備え、
前記複数の帯電部は、それぞれ、前記複数の像担持体を帯電し、
前記複数のファンは、それぞれ、前記トナー像が定着した前記記録媒体に、前記複数の帯電部で生じたオゾンを誘導する、請求項１から請求項４の何れか１項に記載の画像形成装置。
【発明の詳細な説明】
【技術分野】
【０００１】
本発明は、画像形成装置に関する。
【背景技術】
【０００２】
画像形成装置は、トナー像形成部と、トナー像定着部とを備える。トナー像形成部は、画像データに応じた静電潜像を像担持体に形成する。トナー像形成部は、像担持体に形成された静電潜像をトナーによって顕像化することによりトナー像とし、トナー像を記録媒体に転写する。トナー像定着部は、トナー像を高温（例えば、約２００℃）で加熱溶融し、記録媒体に定着させる。
【０００３】
トナー像定着部でトナー像を加熱溶融すると、トナーに含有されていた成分である臭い物質が揮発する。臭い物質が揮発され、異臭が放出される。異臭が画像形成装置外に排出されると、ユーザーに不快感を与えた。
【０００４】
特許文献１に記載された画像形成装置では、ダクトと、ファンと、脱臭フィルターとを備える。ファンは、揮発した臭い物質を含む気体をダクト内に吸引して外部に排出する。脱臭フィルターは、ダクト内に配置されている。従って、脱臭フィルターを通過した気体を外部に排出する。その結果、外部に臭い物質を排出することを抑制している。
【先行技術文献】
【特許文献】
【０００５】
【特許文献１】特開２００７−１４７８３４号公報
【発明の概要】
【発明が解決しようとする課題】
【０００６】
しかしながら、特許文献１に記載された画像形成装置は、脱臭フィルターを必要とする。従って、特許文献１に記載された画像形成装置では、部品点数が増加するという問題があった。
【０００７】
本発明は上記課題に鑑みてなされたものであり、その目的は、部品点数を抑えつつ外部に臭い物質を排出することを抑制できる画像形成装置を提供することにある。
【課題を解決するための手段】
【０００８】
本発明によれば、画像形成装置は、トナー像形成部と、トナー像定着部と、誘導部とを備える。トナー像形成部は、記録媒体にトナー像を形成する。トナー像定着部は、前記記録媒体に形成された前記トナー像を、熱によって前記記録媒体に定着させる。誘導部は、前記トナー像が定着した前記記録媒体に、前記トナー像形成部で生じたオゾンを誘導する。前記トナー像形成部は、像担持体と、前記像担持体を帯電する帯電部とを備える。
【発明の効果】
【０００９】
本発明によれば、部品点数を抑えつつ外部に臭い物質を排出することを抑制できる。
【図面の簡単な説明】
【００１０】
【図１】本発明の実施形態１に係る画像形成装置の構成を示すブロック図である。
【図２】本発明の実施形態１に係る画像形成装置を示す図である。
【図３】本発明の実施形態２に係る画像形成装置の構成を示すブロック図である。
【図４】本発明の実施形態３に係る画像形成装置の構成を示すブロック図である。
【図５】本発明の実施形態４に係る画像形成装置の構成を示すブロック図である。
【発明を実施するための形態】
【００１１】
以下、本発明の実施形態について、図面を参照しながら説明する。なお、図中、同一又は相当部分については同一の参照符号を付して説明を繰り返さない。
【００１２】
［実施形態１］
図１を参照して、本発明の実施形態１に係る画像形成装置１について説明する。図１は、本発明の実施形態１に係る画像形成装置１の構成を示すブロック図である。実施形態１では、画像形成装置１は例えばプリンターである。
【００１３】
図１に示すように、画像形成装置１は、箱型の筐体９１を備える。画像形成装置１は、タンデム方式を採用する。画像形成装置１は、筐体９１内に給送部１０、搬送部２０、反転搬送部２１、トナー像形成部３０、トナー像定着部３５、排出部９０、制御部７０、及び、記憶部７３を備える。
【００１４】
給送部１０は、画像形成前の記録媒体Ｐを収容するカセット１１を含む。カセット１１は、筐体９１の下部に前方へ引き出し可能に装着されている。記録媒体Ｐは、例えば、紙製又は合成樹脂製のシートである。排出部９０は、筐体９１の上面に画像形成後の記録媒体Ｐを排出する。
【００１５】
搬送部２０は、給送部１０から記録媒体Ｐをトナー像形成部３０とトナー像定着部３５とに順に搬送する。トナー像形成部３０は、帯電部５１を備える。反転搬送部２１は、複数のローラーを含み、トナー像定着部３５を通過した記録媒体Ｐを、記録媒体Ｐの表裏を反転させてトナー像形成部３０に搬送する。画像形成装置１では、両面印刷が可能となっている。
【００１６】
実施形態１では、画像形成装置１は筐体９１内に誘導部８０をさらに備える。誘導部８０は、配管８１と、ファン８２とを備える。つまり、画像形成装置１には、配管８１内に脱臭フィルターが配置されていない。
【００１７】
配管８１は、例えば、ダクトである。配管８１の吸入口は、トナー像形成部３０の帯電部５１近傍に設けられ、配管８１の排出口は、トナー像定着部３５又はトナー像定着部３５近傍に設けられている。つまり、配管８１は、トナー像形成部３０の帯電部５１近傍からトナー像定着部３５まで延びる。
【００１８】
ファン８２は、配管８１内に配置されている。ファン８２は、制御部７０からの信号に基づいて回転する。ファン８２が回転することで、トナー像形成部３０の帯電部５１で生じたオゾンを配管８１内に吸引して、トナー像定着部３５に向けて排出する。従って、トナー像形成部３０の帯電部５１で生じたオゾンを、トナー像定着部３５を通過したトナー像形成直後の記録媒体Ｐに吹き付ける。その結果、トナー像形成部３０の帯電部５１で生じたオゾンと、トナー像定着部３５で生じた臭い物質とが反応して、トナー像定着部３５で臭い物質が分解される。従って、画像形成装置１外に臭い物質を排出することを抑制できる。
【００１９】
制御部７０は、ファン制御部７１及び予測部７２を備える。制御部７０は、例えば、ＣＰＵ（Ｃｅｎｔｒａｌ  Ｐｒｏｃｅｓｓｉｎｇ  Ｕｎｉｔ）のようなプロセッサーを含む。制御部７０は、記憶部７３に記憶されたプログラムを実行して、ファン制御部７１及び予測部７２として機能する。また、制御部７０は、給送部１０、搬送部２０、反転搬送部２１、トナー像形成部３０、トナー像定着部３５、誘導部８０、及び、排出部９０を制御する。
【００２０】
次に、図２を参照して画像形成装置１について詳細に説明する。図２は、本発明の実施形態１に係る画像形成装置を示す図である。図２では、理解を容易にするために、誘導部８０を点線で示している。
給送部１０は、カセット１１から搬送部２０へ記録媒体Ｐを給送する。搬送部２０は、トナー像形成部３０とトナー像定着部３５とに順に記録媒体Ｐを搬送する。
【００２１】
トナー像形成部３０は、露光ユニット３１、画像形成ユニット３２ａ（以下、「ユニット３２ａ」と記載する。）、画像形成ユニット３２ｂ（以下、「ユニット３２ｂ」と記載する。）、画像形成ユニット３２ｃ（以下、「ユニット３２ｃ」と記載する。）、画像形成ユニット３２ｄ（以下、「ユニット３２ｄ」と記載する。）、中間転写ベルト３３、及び、２次転写ローラー３４を含む。
【００２２】
露光ユニット３１は、画像データに基づく光をユニット３２ａ〜ユニット３２ｄの各々に照射し、ユニット３２ａ〜ユニット３２ｄの各々に静電潜像を形成する。
【００２３】
ユニット３２ａは、ユニット３２ａ〜ユニット３２ｄのうち、中間転写ベルト３３の回転方向Ｒ１（図２では反時計回り）の最上流に配置される。ユニット３２ｂは、ユニット３２ａよりも回転方向Ｒ１の下流に配置される。ユニット３２ｃは、ユニット３２ｂよりも回転方向Ｒ１の下流に配置される。ユニット３２ｄは、ユニット３２ｃよりも回転方向Ｒ１の下流に配置される。
【００２４】
ユニット３２ａは、静電潜像に基づきイエロー色の現像剤像を形成する。ユニット３２ｂは、静電潜像に基づきマゼンタ色の現像剤像を形成する。ユニット３２ｃは、静電潜像に基づきシアン色の現像剤像を形成する。ユニット３２ｄは、静電潜像に基づきブラック色の現像剤像を形成する。
【００２５】
中間転写ベルト３３は、環状であり、内表面ＩＳと内表面ＩＳに対向する外表面ＯＳとを有する。中間転写ベルト３３は回転方向Ｒ１に回転する。中間転写ベルト３３の外表面ＯＳには、ユニット３２ａ〜ユニット３２ｄから各色の現像剤像が重畳して転写され、４色のトナー像が形成される。
２次転写ローラー３４は、電圧が印加されることによって中間転写ベルト３３の外表面ＯＳに形成された４色のトナー像を記録媒体Ｐに転写する。すなわち、２次転写において記録媒体Ｐは、像担持体としての中間転写ベルト３３が形成した４色のトナー像が転写される対象物となる。なお、２次転写ローラー３４に電圧が印加されると、２次転写ローラー３４周辺にオゾンが生じる。
【００２６】
ユニット３２ａ〜ユニット３２ｄの各々は、感光体ドラム５０、帯電器５１、現像装置５２、及び、１次転写ローラー５３を含む。感光体ドラム５０は像担持体として機能し、帯電器５１は帯電部として機能し、１次転写ローラー５３は転写部として機能する。複数の感光体ドラム５０は、中間転写ベルト３３の外表面ＯＳに当接し、中間転写ベルト３３の回転方向Ｒ１に沿って配置される。複数の１次転写ローラー５３は、複数の感光体ドラム５０に対応して設けられ、中間転写ベルト３３を介して、複数の感光体ドラム５０に対向する。複数の１次転写ローラー５３は、中間転写ベルト３３の内表面ＩＳに当接し、中間転写ベルト３３の回転方向Ｒ１に沿って配置される。
【００２７】
ユニット３２ａ〜ユニット３２ｄの各々において、帯電器５１、現像装置５２、及び、１次転写ローラー５３は、感光体ドラム５０の周面に沿って順に配置される。
【００２８】
感光体ドラム５０は回転方向Ｒ２（図２では時計回り）に回転する。帯電器５１は、放電によって所定の電位に感光体ドラム５０の周面を帯電する。感光体ドラム５０の周面には、露光ユニット３１によって光が照射され、静電潜像が形成される。現像装置５２は、静電潜像に現像剤を付着させて、静電潜像を現像し、感光体ドラム５０の周面に現像剤像を形成する。つまり、感光体ドラム５０は現像剤像を担持する。なお、放電によって感光体ドラム５０の周面を帯電すると、帯電器５１及び感光体ドラム５０周辺に多量のオゾンが生じる。
【００２９】
１次転写ローラー５３は、電圧が印加されることによって感光体ドラム５０が担持する現像剤像を中間転写ベルト３３の外表面ＯＳに転写する。すなわち、１次転写において中間転写ベルト３３は、像担持体としての感光体ドラム５０が担持する各色の現像剤像が重畳して転写される対象物となる。なお、１次転写ローラー５３に電圧が印加されると、１次転写ローラー５３周辺にオゾンが生じる。
【００３０】
トナー像定着部３５は、例えば、加熱ローラー及び加圧ローラーを含む。加熱ローラーは、熱源（例えば、ハロゲンランプ）を有し、回転駆動される。加圧ローラーは、加熱ローラーを押圧するように配置される。従って、記録媒体Ｐを、加熱ローラーと加圧ローラーとによって搬送しながら加熱する。その結果、４色のトナー像を熱によって記録媒体Ｐに定着させる。なお、記録媒体Ｐを加熱すると、トナーに含有されていた成分である臭い物質等が揮発する。
【００３１】
次に、誘導部８０について詳細に説明する。図１を参照して既に説明したように、誘導部８０は、配管８１と、１個のファン８２とを備える。配管８１は、例えば、合成樹脂製のダクトである。配管８１は、複数個（例えば、４個）の吸入口と、１個の排出口とを有する。具体的には、吸入口を有する複数個の配管の出口が合流して１つの配管となっている。また、合流した配管の出口が排出口となっている。配管８１の各吸入口は、各ユニット３２ａ〜３２ｄに対応して設けられている。配管８１の各吸入口は、ユニット３２ａ〜ユニット３２ｄにおける帯電器５１と１次転写ローラー５３との両方に対応して設けられている。また、配管８１の各吸入口の形状は、特に限定されず、例えば円形状又は矩形状である。また、配管８１の各吸入口の形状は、配管８１の長手方向に対して垂直な断面において、徐々に狭くなっていくテーパー形状を有してもよい。
【００３２】
配管８１の排出口は、トナー像定着部３５又はトナー像定着部３５近傍に設けられている。すなわち、配管８１は、トナー像形成部３０のユニット３２ａ〜ユニット３２ｄからトナー像定着部３５まで延びる。配管８１の排出口の形状は、記録媒体Ｐの全面に気体を吹き付けることができればよく、例えば円形状又は矩形状である。また、配管８１の排出口の形状は、配管８１の長手方向に対して垂直な断面において、徐々に広くなっていくテーパー形状を有してもよい。さらに、配管８１は、給送部１０、搬送部２０、反転搬送部２１、トナー像形成部３０、トナー像定着部３５、誘導部８０、及び、排出部９０の動作を妨げないように配置されており、例えば、図２の紙面において手前側や奥側に配置される。
【００３３】
ファン８２は、例えば、合成樹脂製のファンである。ファン８２は、配管８１の排出口に配置されている。ファン８２は、制御部７０からの信号に基づいて回転する。ファン８２が回転することで、ユニット３２ａ〜ユニット３２ｄで生じたオゾンを配管８１内に吸引して、オゾンをトナー像定着部３５に向けて排出する。従って、ユニット３２ａ〜ユニット３２ｄ周辺に滞留したオゾンを配管８１内に効率良く吸引して、トナー像定着部３５を通過した直後の記録媒体Ｐに吹き付ける。その結果、ユニット３２ａ〜ユニット３２ｄで生じたオゾンと、トナー像定着部３５で生じた臭い物質とが反応して、トナー像定着部３５で臭い物質が分解される。また、トナー像が定着した記録媒体Ｐにオゾンを吹き付けるため、トナー像定着部３５で加熱された記録媒体Ｐが冷却される。
【００３４】
以上、図１及び図２を参照して説明したように、実施形態１によれば、ユニット３２ａ〜ユニット３２ｄで生じたオゾンと、トナー像定着部３５で生じた臭い物質とが反応して、トナー像定着部３５で臭い物質が分解される。従って、脱臭フィルターを用いずに画像形成装置１外に臭い物質を排出することを防止できる。
【００３５】
また、トナー像定着部３５を通過した直後の記録媒体Ｐにオゾンを吹き付けるため、トナー像定着部３５で加熱された記録媒体Ｐを冷却することができる。従って、記録媒体Ｐに含有されている水分の蒸発を防止することができる。その結果、両面印刷を実行する場合に、表面にトナー像が定着された記録媒体Ｐの裏面に対して、トナー像を良好に定着させることができる。
【００３６】
さらに、ユニット３２ａ〜ユニット３２ｄ周辺に滞留したオゾンをトナー像定着部３５に誘導するため、ユニット３２ａ〜ユニット３２ｄ周辺に滞留したオゾンを除去することができる。従って、感光体ドラム５０の帯電性能の低下を抑制することができる。その結果、記録媒体Ｐに形成されるトナー像の画像品質の低下を抑制することができる。
【００３７】
次に臭い物質について説明する。臭い物質が生じる量は、記録媒体Ｐの種類（例えば、シートのサイズ、シートの材質）によって異なる。また、臭い物質が生じる量は、記録媒体Ｐへの印字率によって異なる。そこで、実施形態１では、制御部７０はファン８２の回転速度を制御している。ファン８２の回転速度の制御方法について説明する。
【００３８】
記憶部７３は、例えば、半導体メモリーのような主記憶装置、並びに、半導体メモリー及び／又はハードディスクドライブのような補助記憶装置を含む。記憶部７３は、記録媒体Ｐの種類と、画像データから算出された印字率とを記憶する。記録媒体Ｐの種類は、ユーザーが記録媒体Ｐをカセット１１に収容した際に記憶部７３に記憶される。画像データから算出された印字率は、端末等から画像データを受信した際に記憶部７３に記憶される。印字率とは、記録媒体Ｐに形成される画像の積算面積Ｓ１の、記録媒体Ｐの面積Ｓ２に対する比率（Ｓ１／Ｓ２）のことである。また、各色の印字率とは、記録媒体Ｐに形成される各色の画像の積算面積Ｓ１’の、記録媒体Ｐの面積Ｓ２に対する比率（Ｓ１’／Ｓ２）のこととなる。
【００３９】
予測部７２は、記憶部７３に記憶された記録媒体Ｐの種類及び印字率に基づいて、トナー像定着部３５で生じる臭い物質の量を予測する。例えば、記録媒体Ｐへの印字率が高いときには、トナー像定着部３５で生じる臭い物質の量が多いと判定する。一方、記録媒体Ｐへの印字率が低いときには、トナー像定着部３５で生じる臭い物質の量が少ないと判定する。また、例えば、用紙サイズが大きいときには、トナー像定着部３５で生じる臭い物質の量が多いと判定する。一方、用紙サイズが小さいときには、トナー像定着部３５で生じる臭い物質の量が少ないと判定する。さらに、シートの材質が合成樹脂製のシートであるときには、トナー像定着部３５で生じる臭い物質の量が多いと判定する。一方、シートの材質が紙製のシートであるときには、トナー像定着部３５で生じる臭い物質の量が少ないと判定する。
【００４０】
ファン制御部７１は、予測部７２で予測された臭い物質の量に基づいて、ファン８２の回転速度を制御する。例えば、臭い物質の量が多いと予測されたときには、ファン８２の回転速度を速くする。一方、臭い物質の量が少ないと予測されたときには、ファン８２の回転速度を遅くしたりファン８２の動作を停止したりする。
【００４１】
以上、図１及び図２を参照して説明したように、実施形態１によれば、ファン制御部７１がファン８２の回転速度を制御することによって、記録媒体Ｐに適切な量のオゾンを吹き付けることができる。従って、画像形成装置１外に過剰のオゾンを排出することを防止できる。
【００４２】
［実施形態２］
図３を参照して、本発明の実施形態２に係る画像形成装置１００について説明する。実施形態２に係る画像形成装置１００が、帯電器５１のみで生じたオゾンを誘導する点で、実施形態１に係る画像形成装置１と異なる。なお、実施形態２に係る画像形成装置１００の誘導部１８０以外の構成は、実施形態１に係る画像形成装置１の構成と同様である。以下、図３を参照して、実施形態２が実施形態１と異なる点を説明する。
【００４３】
図３は、本発明の実施形態２に係る画像形成装置の構成を示すブロック図である。誘導部１８０は、配管１８１と、１個のファン１８２とを備える。配管１８１は、４個の吸入口と、１個の排出口とを有する。具体的には、吸入口を有する複数個の配管の出口が合流して１つの配管となっている。また、合流した配管の出口が排出口となっている。配管１８１の各吸入口は、各帯電器５１に対応して設けられている。
【００４４】
配管１８１の排出口は、トナー像定着部３５近傍に設けられている。すなわち、配管１８１は、トナー像形成部３０の４個の帯電器５１からトナー像定着部３５まで延びる。
【００４５】
ファン１８２は、配管１８１の排出口に配置されている。ファン１８２は、制御部７０からの信号に基づいて回転する。ファン１８２が回転することで、帯電器５１で生じたオゾンを配管１８１内に吸引して、オゾンをトナー像定着部３５に向けて排出する。従って、帯電器５１周辺に滞留したオゾンを配管１８１内に効率良く吸引して、トナー像定着部３５を通過した直後の記録媒体Ｐに吹き付ける。その結果、帯電器５１で生じたオゾンと、トナー像定着部３５で生じた臭い物質とが反応して、トナー像定着部３５で臭い物質が分解される。
【００４６】
以上、図３を参照して説明したように、実施形態２によれば、帯電器５１で生じたオゾンと、トナー像定着部３５で生じた臭い物質とが反応して、トナー像定着部３５で臭い物質が分解される。従って、脱臭フィルターを用いずに画像形成装置１００外に臭い物質を排出することを防止できる。
【００４７】
さらに、帯電器５１周辺に滞留したオゾンをトナー像定着部３５に誘導するため、帯電器５１周辺に滞留したオゾンを除去することができる。従って、感光体ドラム５０の帯電性能の低下を抑制することができる。その結果、記録媒体Ｐに形成されるトナー像の画像品質の低下を抑制することができる。
【００４８】
その他、実施形態２に係る画像形成装置１は実施形態１に係る画像形成装置１と同様の効果を有する。
【００４９】
［実施形態３］
図４を参照して、本発明の実施形態３に係る画像形成装置２００について説明する。実施形態３に係る画像形成装置２００が、２次転写ローラー３４で生じたオゾンも誘導する点で、実施形態２に係る画像形成装置１００と異なる。なお、実施形態３に係る画像形成装置２００の誘導部２８０以外の構成は、実施形態２に係る画像形成装置１００の構成と同様である。以下、図４を参照して、実施形態３が実施形態２と異なる点を説明する。
【００５０】
図４は、本発明の実施形態３に係る画像形成装置の構成を示すブロック図である。誘導部２８０は、配管２８１と、１個のファン２８２とを備える。配管２８１は、５個の吸入口と、１個の排出口を有する。具体的には、吸入口を有する複数個の配管の出口が合流して１つの配管となっている。また、合流した配管の出口が排出口となっている。配管２８１の各吸入口は、帯電器５１及び２次転写ローラー３４に対応して設けられている。
【００５１】
配管２８１の排出口は、トナー像定着部３５近傍に設けられている。具体的には、配管２８１は、トナー像形成部３０の４個の帯電器５１及び１個の２次転写ローラー３４からトナー像定着部３５まで延びる。
【００５２】
ファン２８２は、配管２８１の排出口に配置されている。ファン２８２は、制御部７０からの信号に基づいて回転する。ファン２８２が回転することで、帯電器５１及び２次転写ローラー３４で生じたオゾンを配管２８１内に吸引して、オゾンをトナー像定着部３５に向けて排出する。従って、帯電器５１周辺及び２次転写ローラー３４周辺に滞留したオゾンを配管２８１内に効率良く吸引して、トナー像定着部３５を通過した直後の記録媒体Ｐに吹き付ける。その結果、帯電器５１及び２次転写ローラー３４で生じたオゾンと、トナー像定着部３５で生じた臭い物質とが反応して、トナー像定着部３５で臭い物質が分解される。
【００５３】
以上、図４を参照して説明したように、実施形態３によれば、帯電器５１及び２次転写ローラー３４で生じたオゾンと、トナー像定着部３５で生じた臭い物質とが反応して、トナー像定着部３５で臭い物質が分解される。従って、脱臭フィルターを用いずに画像形成装置２００外に臭い物質を排出することを防止できる。
【００５４】
さらに、帯電器５１周辺及び２次転写ローラー３４周辺に滞留したオゾンをトナー像定着部３５に誘導するため、帯電器５１周辺及び２次転写ローラー３４周辺に滞留したオゾンを除去することができる。従って、感光体ドラム５０の帯電性能の低下を抑制することができる。その結果、記録媒体Ｐに形成されるトナー像の画像品質の低下を抑制することができる。
【００５５】
その他、実施形態３に係る画像形成装置２００は実施形態２に係る画像形成装置１と同様の効果を有する。
【００５６】
［実施形態４］
図５を参照して、本発明の実施形態４に係る画像形成装置３００について説明する。実施形態４に係る画像形成装置３００が、オゾンを誘導するファンの数が複数である点で、実施形態２に係る画像形成装置１００と異なる。なお、実施形態４に係る画像形成装置３００のファン３８２ａ〜ファン３８２ｄと誘導部３８０と制御部３７０と記憶部３７３以外の構成は、実施形態２に係る画像形成装置１００の構成と同様である。以下、図５を参照して、実施形態４が実施形態２と異なる点を説明する。
【００５７】
図５は、本発明の実施形態４に係る画像形成装置の構成を示すブロック図である。誘導部３８０は、配管３８１と、４個のファン３８２ａ〜ファン３８２ｄとを備える。配管３８１は、４個の吸入口と、１個の排出口とを有する。具体的には、吸入口を有する複数個の配管の出口が合流して１つの配管となっている。また、合流した配管の出口が排出口となっている。配管３８１の各吸入口は、各帯電器５１に対応して設けられている。
【００５８】
配管３８１の排出口は、トナー像定着部３５近傍に設けられている。すなわち、配管３８１は、トナー像形成部３０の４個の帯電器５１からトナー像定着部３５まで延びる。
【００５９】
各ファン３８２ａ〜３８２ｄは、配管３８１の各吸入口に配置されている。各ファン３８２ａ〜３８２ｄは、制御部３７０からの各信号に基づいて回転する。各ファン３８２ａ〜３８２ｄが回転することで、各帯電器５１で生じたオゾンを配管３８１内に吸引して、オゾンをトナー像定着部３５に向けて排出する。従って、各帯電器５１周辺に滞留したオゾンを配管３８１内に効率良く吸引して、トナー像定着部３５を通過した直後の記録媒体Ｐに吹き付ける。その結果、各帯電器５１で生じたオゾンと、トナー像定着部３５で生じた臭い物質とが反応して、トナー像定着部３５で臭い物質が分解される。
【００６０】
以上、図５を参照して説明したように、実施形態４によれば、各帯電器５１で生じたオゾンと、トナー像定着部３５で生じた臭い物質とが反応して、トナー像定着部３５で臭い物質が分解される。従って、脱臭フィルターを用いずに画像形成装置３００外に臭い物質を排出することを防止できる。
【００６１】
さらに、各帯電器５１周辺に滞留したオゾンをトナー像定着部３５に誘導するため、各帯電器５１周辺に滞留したオゾンを除去することができる。従って、各感光体ドラム５０の帯電性能の低下を抑制することができる。その結果、記録媒体Ｐに形成されるトナー像の画像品質の低下を抑制することができる。
【００６２】
次にオゾンが生じる量について説明する。オゾンが生じる量は、記録媒体Ｐへの各色の印字率によって異なる。そこで、実施形態４では、制御部３７０は各ファン３８２ａ〜３８２ｄの回転速度を制御している。
以下、図５を参照して、ファン３８２ａ〜ファン３８２ｄの回転速度の制御方法について説明する。画像形成装置３００は、制御部３７０と、記憶部３７３とを備える。制御部３７０は、ファン制御部３７１及び予測部３７２を備える。制御部３７０は、例えば、ＣＰＵ（Ｃｅｎｔｒａｌ  Ｐｒｏｃｅｓｓｉｎｇ  Ｕｎｉｔ）のようなプロセッサーを含む。制御部３７０は、記憶部３７３に記憶されたプログラムを実行して、ファン制御部３７１及び予測部３７２として機能する。
【００６３】
記憶部３７３は、画像データから算出された各色の印字率を記憶する。予測部３７２は、記憶部３７３に記憶された各色の印字率に基づいて、トナー像定着部３５で生じる臭い物質の量を予測する。
【００６４】
ファン制御部３７１は、記憶部３７３に記憶された各色の印字率に基づいて、各ファン３８２ａ〜３８２ｄの回転速度を制御する。例えば、イエロー色及びブラック色の印字率が高く、マゼンタ色及びシアン色の印字率が低いときには、ファン３８２ａ及びファン３８２ｄの回転速度を速くし、ファン３８２ｂ及びファン３８２ｃの回転速度を遅くする。
【００６５】
以上、実施形態４によれば、ファン制御部３７１がファン３８２ａ〜ファン３８２ｄの回転速度を制御することによって、各帯電器５１周辺に滞留したオゾンをトナー像定着部３５に誘導するため、帯電器５１周辺に滞留したオゾンを除去することができる。従って、感光体ドラム５０の帯電性能の低下を抑制することができる。その結果、記録媒体Ｐに形成されるトナー像の画像品質の低下を抑制することができる。
その他、実施形態４に係る画像形成装置３００は実施形態２に係る画像形成装置１００と同様の効果を有する。
【００６６】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。また、上記の実施形態で示す各構成要素の形状、寸法等は一例であって、特に限定されるものではなく、本発明の効果から実質的に逸脱しない範囲で種々の変更が可能である。
【００６７】
（１）実施形態１〜実施形態４では、画像形成装置１、画像形成装置１００、画像形成装置２００、画像形成装置３００は、４色の現像剤を使用するカラープリンターであった。ただし、画像形成装置１、画像形成装置１００、画像形成装置２００、画像形成装置３００は、４色以外の複数色の現像剤を使用するカラープリンターであってもよい。また、画像形成装置１、画像形成装置１００、画像形成装置２００、画像形成装置３００は、単色（例えば、ブラック色）の現像剤を使用するプリンターであってもよい。さらに、画像形成装置１、画像形成装置１００、画像形成装置２００、画像形成装置３００は、プリンターに限定されず、例えば、複写機、ファクシミリ、又は、複合機である。
【００６８】
（２）実施形態１〜実施形態４の各々では、誘導部は、配管とファンとを備えた。ただし、誘導部は、ファンのみであってもよい。
【００６９】
（３）実施形態４では、誘導部３８０は、配管３８１と、４個のファン３８２ａ〜３８２ｄとを備えた。ただし、誘導部３８０は、配管３８１の排出口に配置された１個のファンと、開口状態を変化せることが可能な４個のシャッターとを備えてもよい。
【産業上の利用可能性】
【００７０】
本発明は、記録媒体に画像を形成する画像形成装置の分野に利用可能である。
【符号の説明】
【００７１】
１    画像形成装置
２０    搬送部
２１    反転搬送部
３０    トナー像形成部
３１    露光ユニット
３３    中間転写ベルト（像担持体）
３４    ２次転写ローラー（転写部）
３５    トナー像定着部
５０    感光体ドラム（像担持体）
５１    帯電器（帯電部）
５３    １次転写ローラー（転写部）
７０    制御部
７１    ファン制御部
７２    予測部
７３    記憶部
８０    誘導部
８１    配管
８２    ファン
９０    排出部
９１    筐体
Ｐ    記録媒体
【図１】
2019204044.tif 000003
【図２】
2019204044.tif 000004
【図３】
2019204044.tif 000005
【図４】
2019204044.tif 000006
【図５】
2019204044.tif 000007